(57)【要約】【課題】水回りの箇所の壁面の状態にかかわらず、安定して取り付け可能な水はね防止具を提供する。【解決手段】水はね防止具は、支持パネル１１と水受けパネル１２がその境界で折り曲げ可能に連設されてなる防止具本体１０と、粘着体２０と、を少なくとも備える。防止具本体１０は、支持パネル１１が水回りの箇所の水槽の開口縁の壁面と対向するように、かつ水受けパネル１２が前記壁面から起立するように折り曲げられて水槽の開口縁に設置される。粘着体２０は、支持パネル１１と水槽の開口縁の壁面との間に介在して、その粘着力により水はね防止具を水槽の開口縁に貼り付ける。水槽の開口縁の壁面がエンボス様であるなど平滑でない場合にも外れにくく、安定した取り付け状態が実現できる。【選択図】図２
2020111931.tif 000002
【特許請求の範囲】
【請求項１】
水受けパネルと支持パネルとがその境界で折り曲げ可能に連設されてなる板状の防止具本体と、
粘着体と、を備え、
前記防止具本体は、
前記支持パネルが水回りの箇所の水槽の開口縁の壁面と対向するように、かつ前記水受けパネルが前記壁面から起立するように折り曲げられて前記水槽の開口縁上に設置することが可能であり、
前記粘着体は、
前記支持パネルと前記水槽の開口縁の壁面との間に介在して、その粘着力により前記折り曲げられた防止具本体を前記水槽の開口縁に貼り付けることが可能である、水はね防止具。
【請求項２】
前記粘着体は、粘着性を有するゲル状のエラストマーからなるシート体である請求項１に記載の水はね防止具。
【請求項３】
前記防止具本体は、
前記水受けパネルの前記支持パネル連設側とは反対側に折り曲げ可能に連設されたはね返しフラップをさらに有し、
前記はね返しフラップは、
前記防止具本体の水槽の開口縁への設置状態で、前記水受けパネルの上縁から水槽の側に向けて折り返すことが可能である、請求項１または２に記載の水はね防止具。
【請求項４】
前記防止具本体は、
前記水受けパネルと前記支持パネルの境界をまたいで形成されたスリットにより区画されるロック片をさらに有し、
前記ロック片は、
前記防止具本体の水槽の開口縁への設置状態で、前記水受けパネルと前記支持パネルの境界の折り曲げ方向とは逆方向に折り曲げることが可能である、請求項１から３のいずれかに記載の水はね防止具。
【請求項５】
前記防止具本体は、
前記支持パネルの前記水受けパネル連設側とは反対側に折り曲げ可能に連設された隙間閉鎖パネルをさらに有し、
前記隙間閉鎖パネルは、
前記防止具本体の水槽の開口縁への設置状態で、前記支持パネルから水槽の内面に沿うように折り曲げることが可能である、請求項１から４のいずれかに記載の水はね防止具。
【発明の詳細な説明】
【技術分野】
【０００１】
本発明は、水はね防止具に関する。
【背景技術】
【０００２】
洗面台やキッチンのシンクなど、いわゆる水回りの箇所に設置して周囲への水の飛散を防止する水はね防止具が知られている。
そのような水はね防止具として、特許文献１のように、水受けパネルと水受けパネルの支持台とからなり、水回りの箇所の水槽の開口縁上に据え置くタイプのものが知られているが、手が当たる等するとずれ動いたり倒れたりしやすい問題がある。
【０００３】
このため、特許文献２および３のように、吸盤付の水受けパネルからなり、水回りの箇所の水槽の壁面に水受けパネルを沿わせた状態でその吸盤を吸着させることで、洗面台やキッチンのシンクの奥側や手前側に水受けパネルを設置可能な水はね防止具も考案されている。
水受けパネルを水回りの箇所に吸盤を用いて吸着させているため、特許文献１の水はね防止具と比較して、設置状態が安定しているといえる。
【先行技術文献】
【特許文献】
【０００４】
【特許文献１】実開昭６３−１６７９７５号公報
【特許文献２】特開２０１２−２５４２７４号公報
【特許文献３】特開平１１−６１９２４号公報
【発明の概要】
【発明が解決しようとする課題】
【０００５】
しかしながら、吸盤で吸着させるタイプの水はね防止具は、水回りの箇所の壁面がエンボス様であるなどして平滑でない場合には、吸盤が吸着しないか吸着しても吸着力が不十分となる。したがって、水回りの箇所の壁面の状態によっては、水はね防止具を取り付けることができなかったり、取り付けてもすぐに外れてしまう問題がある。
【０００６】
そこで本発明の解決すべき課題は、水回りの箇所の壁面の状態にかかわらず安定して取り付け可能な水はね防止具を提供することである。
【課題を解決するための手段】
【０００７】
上記した課題を解決するため、発明にかかる水はね防止具を、水受けパネルと支持パネルとがその境界で折り曲げ可能に連設されてなる板状の防止具本体と、粘着体と、を備える構成としたのである。そして、前記防止具本体は、前記支持パネルが水回りの箇所の水槽の開口縁の壁面と対向するように、かつ前記水受けパネルが前記壁面から起立するように折り曲げられて前記水槽の開口縁上に設置することが可能であり、前記粘着体は、前記支持パネルと前記水槽の開口縁の壁面との間に介在して、その粘着力により前記折り曲げられた防止具本体を前記水槽の開口縁に貼り付けることが可能であるものとしたのである。
【０００８】
水はね防止具を以上のように構成して、粘着体の粘着力により水回りの箇所の水槽の開口縁に貼り付けることにしたため、その開口縁の壁面がエンボス様であるなど平滑でない場合にも外れにくく、安定した取り付け状態が実現できる。
また水はね防止具の、店頭での陳列時や保管時などの未使用時には、防止具本体をフラットな状態にしておくと嵩張らない。
【０００９】
発明にかかる水はね防止具において、前記粘着体は、粘着性を有するゲル状のエラストマーからなるシート体である構成を採用するのが好ましい。
このように構成すると、水はね防止具の設置時に、水槽の開口縁の壁面がエンボス処理等された凹凸面である場合でも、粘着体が弾性変形してその凹凸によく追従するため、取り付け強度を高いものとすることができる。
また、再剥離性に優れるうえ、その粘着面に塵埃等が付着しても、水洗いすることで塵埃等を容易に洗い流すことができて粘着復元性にも優れるため、水はね防止具の取り付けと取り外しを繰り返し行う場合にも好適である。
【００１０】
発明にかかる水はね防止具において、前記防止具本体は、前記水受けパネルの前記支持パネル連設側とは反対側に折り曲げ可能に連設されたはね返しフラップをさらに有し、前記はね返しフラップは、前記防止具本体の水槽の開口縁への設置状態で、前記水受けパネルの上縁から水槽の側に向けて折り返すことが可能である構成を採用するのが好ましい。
このように構成すると、水はね防止具の使用時に、水受けパネルを乗り越えようとした水が、水受けパネルの上縁から水槽側に折り返されたはね返しフラップに引っかかるか跳ね返されるため、周囲への水の飛散を一層抑制することができる。
また、水受けパネルの上縁がはね返しフラップによりいわば縁取りされることで、手指が引っかかりにくくなり、手指が傷つくことが防止される。
【００１１】
発明にかかる水はね防止具において、前記防止具本体は、前記水受けパネルと前記支持パネルの境界をまたいで形成されたスリットにより区画されるロック片をさらに有し、前記ロック片は、前記防止具本体の水槽の開口縁への設置状態で、前記水受けパネルと前記支持パネルの境界の折り曲げ方向とは逆方向に折り曲げる（押し込む）ことが可能である構成を採用するのが好ましい。
このように構成すると、水はね防止具の使用時に、互いに逆向きに折れ曲がる水受けパネルおよび支持パネルとロック片により保形性の高い立体構造が形成されるため、水受けパネルの起立状態が安定し、水受けパネルが意図せずして倒れてしまうことが防止される。
【００１２】
発明にかかる水はね防止具において、前記防止具本体は、前記支持パネルの前記水受けパネル連設側とは反対側に折り曲げ可能に連設された隙間閉鎖パネルをさらに有し、前記隙間閉鎖パネルは、前記防止具本体の水槽の開口縁への設置状態で、前記支持パネルから水槽の内面に沿うように折り曲げることが可能である構成を採用するのが好ましい。
このように構成すると、水はね防止具の使用時には、防止具本体の支持パネルと水槽の開口縁の上面との間の隙間を隙間閉鎖パネルが塞ぐことになるため、この隙間から水が漏れ出すことが防止され、水の拡散を一層抑制することができる。
【発明の効果】
【００１３】
発明にかかる水はね防止具を以上のように構成したので、水回りの箇所の壁面の状態にかかわらず安定して取り付けることが可能となった。
【図面の簡単な説明】
【００１４】
【図１】実施形態の水はね防止具の平面図
【図２】実施形態の水はね防止具の組立手順を示す斜視図
【図３】実施形態の水はね防止具の使用状態を示す（ａ）は斜視図、（ｂ）は側面図
【図４】実施形態の水はね防止具の使用状態を示す（ａ）は正面図、（ｂ）は上面図
【発明を実施するための形態】
【００１５】
以下、図面を参照しつつ本発明の実施形態について説明する。
図１に示す実施形態の水はね防止具は、図２に示すような組立をおこなったうえで、図３に示すように、洗面台やキッチンのシンクなどのいわゆる水回りの箇所に設置され、図４に示すように、洗顔や食器や食材の洗浄などの作業中に水しぶきを受け止めて、水が周囲に飛び散るのを抑制するために用いられる。
図１のように、実施形態の水はね防止具は、防止具本体１０と、粘着体２０とからなる。
【００１６】
図１のように、防止具本体１０は、一枚の板状体であり、支持パネル１１と、水受けパネル１２と、はね返しフラップ１３と、ロック片１４と、隙間閉鎖パネル１５とを有する。
防止具本体１０の製造方法は特に限定されないが、板素材を打ち抜き加工することで製造することが例示できる。また防止具本体１０の材質も限定されず、合成樹脂製、紙製、金属箔製が例示できるが、防水性および耐食性に優れ、軽量かつ安価であるため合成樹脂製であることが好ましい。また、合成樹脂製の場合、紙製等とは異なり、水洗いできるため、水が付着することに伴なう汚れを除去することが容易でもある。なお、紙製とした場合には、表面に防水加工等を、金属製とした場合には、表面に防食加工等を、それぞれ施してもよい。
合成樹脂の種類としては、ポリエチレンテレフタレート、ポリプロピレン、ポリエチレンが例示できるが、図２のように折り曲げる際に折りぐせが付きやすい等の理由からポリエチレンテレフタレート製であることが好ましい。
防止具本体１０の厚みも特に限定されないが、厚みが大きすぎると折り曲げにくく、小さすぎると折り曲げ箇所に破断が生じやすいため、合成樹脂製の場合には０．２〜２．０ｍｍであることが好ましく、さらには０．５〜１．０ｍｍであることがより好ましい。
【００１７】
図１のように、略矩形の支持パネル１１は、その一方の長辺に略矩形の水受けパネル１２が連設されている。支持パネル１１と水受けパネル１２の境界は、罫線が付されて折り曲げ可能となっている。
支持パネル１１と水受けパネル１２の長辺の長さ（幅）はほぼ一致している。水受けパネル１２の長辺の長さ（幅）は限定されないが、大きいと幅広すぎて作業の邪魔になり、小さいと幅狭すぎて水を受け止める効果を発揮しにくいため、１００〜５００ｍｍであることが好ましく、さらには３００〜５００ｍｍであることがより好ましい。
また、支持パネル１１と水受けパネル１２の短辺の長さ（高さ）は、水受けパネル１２のほうが支持パネル１１よりも大きくなっている。水受けパネル１２の短辺の長さ（高さ）は限定されないが、大きいと起立状態にあるとき高すぎて作業の邪魔になり、小さいと低すぎて水を受け止める効果を発揮しにくいため、５０〜１５０ｍｍであることが好ましい。
【００１８】
図１のように、水受けパネル１２は、その支持パネル１１の連設側とは逆側の長辺に帯状のはね返しフラップ１３が連設されている。水受けパネル１２とはね返しフラップ１３の境界は、罫線が付されて折り曲げ可能となっている。
水受けパネル１２の長辺の長さ（幅）は、はね返しフラップ１３の帯の長さよりも大きく、水受けパネル１２の角隅の部分には、はね返しフラップが連設されていない。この角隅の部分は、使用時に手指が引っかかって防止具本体１０に過度な力がかかり防止具本体１０が外れたり、手指自体が傷つくことのないように、円弧状に形成されて角取部１２ａとなっている。
【００１９】
図１のように、支持パネル１１と水受けパネル１２との連設部の左右端には、ロック片１４が形成されている。
ロック片１４は、支持パネル１１と水受けパネル１２の短辺と平行に、両パネル１１、１２の境界をまたいで延びるスリット１４ａと、スリット１４ａの両端部から両パネル１１、１２の長辺と平行に延びる罫線１４ｂにより、両パネル１１、１２から区画されている。したがって、ロック片１４は、支持パネル１１および水受けパネル１２とは独立して折り曲げることが可能となっている。
【００２０】
図１のように、支持パネル１１は、その水受けパネル１２との連設側とは逆側の長辺に隙間閉鎖パネル１５が連設されている。支持パネル１１と隙間閉鎖パネル１５の境界は、罫線が付されて折り曲げ可能となっている。
隙間閉鎖パネル１５の長辺の長さ（幅）は支持パネル１１の長辺の長さ（幅）とほぼ等しくなっているが、短辺の長さは支持パネル１１の短辺の長さよりも小さくなっている。隙間閉鎖パネル１５は、その長辺と平行な罫線１５ａにより二等分され、長手方向と直交する方向に折り曲げ可能となっている。
【００２１】
図１のように、一対の粘着体２０は、平面視が略矩形で厚みの小さなシート体となっている。粘着体２０の材質は粘着性を有する限りにおいて特に限定されず、いわゆる両面粘着テープが例示できるが、凹凸面への追随性が高く、再剥離性や粘着復元性が良好なものとして、粘着性を有するゲル状のエラストマーからなるものが好ましい。
このような粘着性を有するゲル状のエラストマーからなるシート体として、ポリウレタン製のゲルシートが例示できる。
ゲルシートからなる粘着体２０の厚みは特に限定されないが、厚みが小さいと凹凸面への追随性が低下するうえ破損しやすく、大きいと支持パネル１１と水槽の開口縁の壁面との隙間が大きくなって、その隙間から水が漏れ出しやすくなるため、０．５〜５．０ｍｍが好ましく、さらには０．５〜１．０ｍｍであることがより好ましい。
また、ゲルシートからなる粘着体２０の粘着力も特に限定されないが、小さすぎると水はね防止具が水槽の開口縁から外れやすくなり、大きすぎると使用後に水はね防止具を取り外しにくくなるため、ＪＩＳＺ０２３７（２００９）に準拠する粘着力試験において、１５０〜３５０ｇｆ／２５ｍｍであるのが好ましい。
【００２２】
次に、図２および図３を参照して、実施形態の水はね防止具の組立および設置方法について説明する。
まず図２（ａ）から（ｂ）のように、支持パネル１１を中心に水受けパネル１２および隙間閉鎖パネル１５をそれぞれ逆向きにかつほぼ直角に折り曲げる。
次に図２（ｂ）から（ｃ）のように、はね返しフラップ１３を水受けパネル１２に対してほぼ直角に、かつ支持パネル１１と対向するように折り曲げる。また、ロック片１４を支持パネル１１と水受けパネル１２の境界の折り曲げ方向とは逆向きに折り曲げる（押し込む）。さらに、一対の粘着体２０を、支持パネル１１の下面であって左右端に近接する箇所にそれぞれ貼り付ける。
【００２３】
この状態で図３（ａ）から（ｂ）のように、キッチンのシンク３０の水槽３１の開口縁３２（例えばカウンター）であってシンク３０の手前側または奥側の壁面に支持パネル１１が載り、水槽３１の内面に隙間閉鎖パネル１５が沿うように水はね防止具を設置する。このとき粘着体２０は、支持パネル１１と水槽の開口縁３２の間に介在して、その粘着力により組み立てられた防止具本体１０を水槽の開口縁３２に貼り付ける。
図３（ｂ）の破線で示すように、水槽の開口縁３２が幅広である場合などには、支持パネル１１と隙間閉鎖パネル１５との境界を折り曲げることなく、隙間閉鎖パネル１５を罫線１５ａで折り曲げて、隙間閉鎖パネル１５の支持パネル１１に近い側の半部を水槽の開口縁３２の上面に載せ、支持パネル１１から遠い側の半部のみを水槽３１の内面に沿うようにすることもできる。
【００２４】
図３（ｂ）のように、水槽３１からの水しぶきは主として水受けパネル１２により受け止められ、周囲への飛散が防止されることになる。特に、高い軌道の水しぶきは、水槽３１の側に向けて折り返されたはね返しフラップ１３により跳ね返されて、水受けパネル１２の上縁を超えることが防止される。
また、図３（ｂ）のように、支持パネル１１の下面と水槽の開口縁３２の上面との間には、粘着体２０の厚みに相当する隙間が生じているが、水槽３１の側からみた場合には、その隙間は隙間閉鎖パネル１５でふさがれているため、隙間から水が外部に漏れ出すことも防止されている。
たとえばシンク３０の手前側に水はね防止具を設置した状態で、図４（ａ）および（ｂ）のように、水はね防止具の水受けパネル１２に向かい合うようにして立ち、食器を洗うなどの作業をおこなう場合にも、体が水で濡れることが抑制される。
【００２５】
今回開示された実施形態はすべての点で例示であって制限的なものではない。本発明の範囲は特許請求の範囲によって示され、特許請求の範囲内およびこれと均等の意味でのすべての修正と変形を含む。
【００２６】
防止具本体１０の支持パネル１１や水受けパネル１２等の各構成要素の形状は実施形態に限定されない。
たとえば支持パネル１１を長円形としたり、水受けパネル１２を半円形とすることもできる。また、防止具本体１０の色彩等も限定されず、透明にしたり、表面に模様を施したりしてもよい。
水はね防止具は、装飾体などの防止具本体１０と粘着体２０以外の構成を備えていてもよい。
このようにして、形状を工夫したり模様を付したり装飾体を追加したりすることで、水はね防止具を不使用時にも取り外す必要のない、インテリアとして用いることもできる。
【００２７】
実施形態では、支持パネル１１と水受けパネル１２の幅を同じにしているが、水はね防止具の設置箇所の状態に応じて、いずれかの幅を大きくしたり小さくしたりしてもよい。水受けパネル１２の角取部１２ａは省略可能である。また、実施形態では一つの水槽の開口縁上に一つの水はね防止具を設置するものであったが、本発明の効果が妨げられないものであれば一つの水槽の開口縁上に支持パネル１１や水受けパネル１２等の幅が小さい水はね防止具を複数個並べて設置して使用することもできる。
【００２８】
実施形態では、はね返しフラップ１３の幅を水受けパネル１２の幅よりも小さくしているが、同じにしてもよい。また、はね返しフラップ１３は、一連である必要はなく、水受けパネル１２の幅方向に断続的に設けてもよい。さらにはね返しフラップ１３は省略することもできる。
【００２９】
実施形態では、ロック片１４を左右一対に設けているが、左右一方のみに設けてもよい。また、ロック片１４の数は実施形態に限定されず、３つ以上設けてもよい。ロック片１４の位置も実施形態に限定されず、支持パネル１１および水受けパネル１２の幅方向の中央部に設けてもよい。さらにロック片１４は省略することもできる。
【００３０】
実施形態では、隙間閉鎖パネル１５の幅を支持パネル１１の幅と同じとしているが、小さくしてもよい。また、隙間閉鎖パネル１５の罫線１５ａの数は実施形態に限定されず、２つ以上とし、多段階に折り曲げられるようにしてもよい。
さらに隙間閉鎖パネル１５の罫線１５ａは省略可能であるし、隙間閉鎖パネル１５自体も省略することもできる。また、隙間閉鎖パネル１５を設けた場合でも、水槽の開口縁３２の幅に応じて、折り曲げずに支持パネル１１と平行にした状態で使用してもよい。
【００３１】
粘着体２０の形状、数、支持パネル１１への貼り付け位置も実施形態に限定されない。たとえば数を３つ以上としてもよいし、平面視形状を円形とすることもできる。また、帯状のものを支持パネル１１の幅方向の全域に貼り付けるようにしてもよい。
実施形態では、粘着体２０を防止具本体１０と別体としているが、防止具本体１０の支持パネル１１の下面に粘着層を積層するなどして、防止具本体１０と一体に形成してもよい。
【符号の説明】
【００３２】
１０  防止具本体
１１  支持パネル
１２  水受けパネル
１２ａ  角取部
１３  はね返しフラップ
１４  ロック片
１４ａ  スリット
１４ｂ  罫線
１５  隙間閉鎖パネル
１５ａ  罫線
２０  粘着体
３０  キッチンのシンク
３１  水槽
３２  開口縁
【図１】
2020111931.tif 000003
【図２】
2020111931.tif 000004
【図３】
2020111931.tif 000005
【図４】
2020111931.tif 000006